(57)【要約】【課題】  カードを使って児童等が計算を楽しみながら数字に触れて学ぶことができる数字計算用カードゲーム具を提供する。【解決手段】  本カードゲーム具は、所定の計算用数字が表記された表記部１１を有する複数の計算用数字カード１と、四則演算のうちの所定の演算を示す記号が表記された表記部３１を有する複数の計算用記号カード３ａ〜３ｄと、所定の解答用数字が表記された表記部４１を有する複数の解答用数字カード４と、を備え、所定のカードゲームに用いられることを特徴とする。【選択図】  図８
0003108481.tif 000002
【実用新案登録請求の範囲】
【請求項１】
所定の計算用数字が表記された表記部を有する複数の計算用数字カードと、四則演算のうちの所定の演算を示す記号が表記された表記部を有する複数の計算用記号カードと、所定の解答用数字が表記された表記部を有する複数の解答用数字カードと、を備え、
遊技者によって、抜粋された前記解答用数字カードに表記された解答用数字が解答となるように、前記計算用数字カード及び前記計算用記号カードを組み合わせて該計算用数字カードに表記された計算用数値と該計算用記号カードに表記された記号とから計算式を作成することが繰り返し行われ、その計算式の作成において使用した該計算用数字カード及び該計算用記号カードの枚数を競うカードゲームに用いられることを特徴とする数字計算用カードゲーム具。
【請求項２】
前記計算用記号カードが、加算を示す記号が表記された表記部を有する加算用記号カードと、減算を示す記号が表記された表記部を有する減算用記号カードとからなる請求項１記載の数字計算用カードゲーム具。
【請求項３】
前記計算用記号カードが、加算を示す記号が表記された表記部を有する加算用記号カードと、減算を示す記号が表記された表記部を有する減算用記号カードと、乗算を示す記号が表記された表記部を有する乗算用記号カードと、除算を示す記号が表記された表記部を有する除算用記号カードとからなる請求項１記載の数字計算用カードゲーム具。
【請求項４】
特殊図柄が表記された表記部を有する複数の特殊図柄カードを更に備え、前記カードゲームにおいて、該特殊図柄カードが、前記計算用数字カード及び／又は前記計算用記号カードとして代用可能であり、前記計算用数字カード及び前記計算用記号カードに加えて該特殊図柄カードの使用枚数が競われる請求項２又は３に記載の数字計算用カードゲーム具。
【請求項５】
前記特殊図柄カード、前記計算用数字カード及び前記計算用記号カードのそれぞれの平面サイズが同じであり、且つ、前記解答用数字カードの平面サイズが、該特殊図柄カード、該計算用数字カード及び該計算用記号カードの平面サイズより大きい請求項４記載の数字計算用カードゲーム具。
【請求項６】
前記解答用数字カードの平面サイズが、前記特殊図柄カード、前記計算用数字カード及び前記計算用記号カードの平面サイズの１．５〜３倍である請求項５記載の数字計算用カードゲーム具。
【請求項７】
所定の数字を書き込むための書込部を有する複数の解答用数字予備カードを更に備える請求項５又は６に記載の数字計算用カードゲーム具。
【請求項８】
遊技者の名称及びスコアを書き込むためのスコア書込部を有する複数のスコアカードを更に備える請求項５乃至７のいずれか一項に記載の数字計算用カードゲーム具。
【請求項９】
前記計算用数字カード、前記計算用記号カード、前記解答用数字カード及び前記特殊図柄カードが紙又はプラスチックからなる請求項５乃至８のいずれか一項に記載の数字計算用カードゲーム具。
【請求項１０】
前記計算用数字カード、前記計算用記号カード、前記解答用数字カード及び前記特殊図柄カードが、それぞれのカード名称が表記された名称表記部を有する請求項５乃至９のいずれか一項に記載の数字計算用カードゲーム具。
【請求項１１】
前記計算用数字カードが９０〜１５０枚あり、前記計算用記号カードが９０〜１５０枚あり、前記解答用数字カードが１０〜２０枚あり、前記特殊図柄カードが１０〜３０枚ある請求項５乃至１０のいずれか一項に記載の数字計算用カードゲーム具。
【考案の詳細な説明】
【技術分野】
【０００１】
本考案は、数字計算用カードゲーム具に関し、更に詳しくは、カードを使って児童等が計算を楽しみながら数字に触れて学ぶことができる数字計算用カードゲーム具に関する。
【背景技術】
【０００２】
従来より、カードを使って児童等が単語を楽しみながら単語に触れて学ぶことができるカードゲーム具が知られている（例えば、特許文献１及び２参照）。
しかし、上記従来のカードゲーム具では、単語について学習することができるが、四則演算等の計算について学習することはできなかった。
【０００３】
【特許文献１】特開２００３−１３５６４８号公報
【特許文献２】特開平９−７０４６７号公報
【考案の開示】
【考案が解決しようとする課題】
【０００４】
以上より本考案は、上記現状に鑑みてなされたものであり、カードを使って児童等が計算を楽しみながら数字に触れて学ぶことができる数字計算用カードゲーム具を提供することを目的とする。
【課題を解決するための手段】
【０００５】
本考案は、以下の通りである。
１．  所定の計算用数字が表記された表記部を有する複数の計算用数字カードと、四則演算のうちの所定の演算を示す記号が表記された表記部を有する複数の計算用記号カードと、所定の解答用数字が表記された表記部を有する複数の解答用数字カードと、を備え、
遊技者によって、抜粋された前記解答用数字カードに表記された解答用数字が解答となるように、前記計算用数字カード及び前記計算用記号カードを組み合わせて該計算用数字カードに表記された計算用数値と該計算用記号カードに表記された記号とから計算式を作成することが繰り返し行われ、その計算式の作成において使用した該計算用数字カード及び該計算用記号カードの枚数を競うカードゲームに用いられることを特徴とする数字計算用カードゲーム具。
２．  前記計算用記号カードが、加算を示す記号が表記された表記部を有する加算用記号カードと、減算を示す記号が表記された表記部を有する減算用記号カードとからなる上記１．記載の数字計算用カードゲーム具。
３．  前記計算用記号カードが、加算を示す記号が表記された表記部を有する加算用記号カードと、減算を示す記号が表記された表記部を有する減算用記号カードと、乗算を示す記号が表記された表記部を有する乗算用記号カードと、除算を示す記号が表記された表記部を有する除算用記号カードとからなる上記１．記載の数字計算用カードゲーム具。
４．  特殊図柄が表記された表記部を有する複数の特殊図柄カードを更に備え、前記カードゲームにおいて、該特殊図柄カードが、前記計算用数字カード及び／又は前記計算用記号カードとして代用可能であり、前記計算用数字カード及び前記計算用記号カードに加えて該特殊図柄カードの使用枚数が競われる上記２．又は３．に記載の数字計算用カードゲーム具。
５．  前記特殊図柄カード、前記計算用数字カード及び前記計算用記号カードのそれぞれの平面サイズが同じであり、且つ、前記解答用数字カードの平面サイズが、該特殊図柄カード、該計算用数字カード及び該計算用記号カードの平面サイズより大きい上記４．記載の数字計算用カードゲーム具。
６．  前記解答用数字カードの平面サイズが、前記特殊図柄カード、前記計算用数字カード及び前記計算用記号カードの平面サイズの１．５〜３倍である上記５．記載の数字計算用カードゲーム具。
７．  所定の数字を書き込むための書込部を有する複数の解答用数字予備カードを更に備える上記５．又は６．に記載の数字計算用カードゲーム具。
８．  遊技者の名称及びスコアを書き込むためのスコア書込部を有する複数のスコアカードを更に備える上記５．乃至７．のいずれか一項に記載の数字計算用カードゲーム具。
９．  前記計算用数字カード、前記計算用記号カード、前記解答用数字カード及び前記特殊図柄カードが紙又はプラスチックからなる上記５．乃至８．のいずれか一項に記載の数字計算用カードゲーム具。
１０．  前記計算用数字カード、前記計算用記号カード、前記解答用数字カード及び前記特殊図柄カードが、それぞれのカード名称が表記された名称表記部を有する上記５．乃至９．のいずれか一項に記載の数字計算用カードゲーム具。
１１．  前記計算用数字カードが９０〜１５０枚あり、前記計算用記号カードが９０〜１５０枚あり、前記解答用数字カードが１０〜２０枚あり、前記特殊図柄カードが１０〜３０枚ある上記５．乃至１０．のいずれか一項に記載の数字計算用カードゲーム具。
【考案の効果】
【０００６】
本考案の数字計算用カードゲーム具によると、遊技者によって、所定の解答用数字カードに表記された解答用数字が解答となるように、計算用数字カード及び計算用記号カードを組み合わせて、計算用数字カードに表記された計算用数字と計算用記号カードに表記された記号とから計算式を作成することが繰り返し行われ、その計算式の作成で使用した計算用数字カード及び計算用記号カードの枚数が競われることとなる。これにより、カードを使って児童等が計算を楽しみながら数字に触れて学ぶことができる。
また、前記計算用記号カードが、加算用記号カードと減算用記号カードとからなる場合は、低学年の児童を対象として、足し算及び引き算を集中して学習させることができる。
また、前記計算用記号カードが、加算用記号カードと減算用記号カードと乗算用記号カードと除算用記号カードとからなる場合は、高学年の児童を対象として、四則演算を学習させることができる。
また、特殊図柄カードを更に備える場合は、カードゲームにおいて、特殊図柄カードが、計算用数字カード及び／又は計算用記号カードとして代用される。これにより、カードゲームの興趣を向上させて、計算をより楽しみながら学習させることができる。
また、前記特殊図柄カード、前記計算用数字カード及び前記計算用記号カードのそれぞれの平面サイズが同じであり、且つ、前記解答用数字カードの平面サイズが、該特殊図柄カード、該計算用数字カード及び該計算用記号カードの平面サイズより大きい場合は、特殊図柄カード、計算用数字カード及び計算用記号カードと、解答用数字カードとを容易に識別することができる。また、見栄え良く計算式を作ることができる。
また、前記解答用数字カードの平面サイズが、前記特殊図柄カード、前記計算用数字カード及び前記計算用記号カードの平面サイズの１．５〜３倍である場合は、取り扱い容易であり且つ識別性をより高めることができる。
また、解答用数字予備カードを更に備える場合は、解答用数字カードを紛失、損傷等した際に、この予備カードの書込部に数字を書き込んで使用することができる。
また、スコアカードを更に備える場合は、カードゲームの勝敗を容易に認識できる。
また、前記計算用数字カード、前記計算用記号カード、前記解答用数字カード及び前記特殊図柄カードが紙又はプラスチックからなる場合は、より安価なカードゲーム具を提供できる。
また、前記計算用数字カード、前記計算用記号カード、前記解答用数字カード及び前記特殊図柄カードが、名称表記部を有する場合は、各カードを容易に識別することができる。
また、前記計算用数字カードが９０〜１５０枚あり、前記計算用記号カードが９０〜１５０枚あり、前記解答用数字カードが１０〜２０枚あり、前記特殊図柄カードが１０〜３０枚ある場合は、カードゲームの興趣を向上させて、計算をより楽しみながら学習させることができる。
【考案を実施するための最良の形態】
【０００７】
本発明に係る数字計算用カードゲーム具は、以下に述べる計算用数字カード、計算用記号カード及び解答用数字カードを備えている。このカードゲーム具は、例えば、後述する特殊図柄カード、解答用数字予備カード及びスコアカードのうちの１種又は２種以上を組み合わせて備えていることができる。
【０００８】
上記「計算用数字カード」は、所定の計算用数字が表記された表記部を有する限り、その形状、材質、枚数等は特に問わない。この計算用数字カードは、例えば、矩形形状を有していることができる。また、この計算用数字カードは、例えば、紙又はプラスチックからなることができる。また、この計算用数字カードは、例えば、カード名称を表記した名称表記部を有することができる。また、この計算用数字カードは、例えば、９０〜１５０枚用意されていることができる。また、上記計算用数字は、例えば、任意の自然数から適宜選択されることができる。
【０００９】
上記「計算用記号カード」は、四則演算のうちの所定の演算を示す記号が表記された表記部を有する限り、その形状、材質、枚数等は特に問わない。この計算用記号カードは、例えば、矩形形状を有していることができる。また、この計算用記号カードは、例えば、紙又はプラスチックからなることができる。また、この計算用記号カードは、例えば、カード名称を表記した名称表記部を有することができる。また、この計算用記号カードは、例えば、９０〜１５０枚用意されていることができる。また、上記演算を示す記号は、四則演算から適宜選択することができる。そして、上記計算用記号カードとしては、例えば、（１）加算用記号カードと減算用記号カードとからなる形態、（２）加算用記号カードと減算用記号カードと乗算用記号カードと除算用記号カードとからなる形態等を挙げることができる。
【００１０】
上記「解答用数字カード」は、所定の解答用数字が表記された表記部を有する限り、その形状、材質、枚数等は特に問わない。この解答用数字カードは、例えば、矩形形状を有していることができる。また、この解答用数字カードは、例えば、紙又はプラスチックからなることができる。また、この解答用数字カードは、例えば、カード名称を表記した名称表記部を有することができる。また、この解答用数字カードは、例えば、１０〜２０枚用意されていることができる。また、上記解答用数字は、例えば、任意の自然数から適宜選択されることができる。
【００１１】
ここで、上記計算用数字カード及び上記計算用記号カードのそれぞれの平面サイズが同じであり、且つ、上記解答用数字カードの平面サイズが、計算用数字カード及び計算用記号カードの平面サイズより大きいことが好ましい。特に、上記解答用数字カードの平面サイズが、上記計算用数字カード及び上記計算用記号カードの平面サイズの１．５〜３倍であることが好ましい。
【００１２】
上記「特殊図柄カード」は、特殊図柄が表記された表記部を有する限り、その形状、材質、枚数等は特に問わない。上記カードゲームにおいて、この特殊図柄カードは、所定の上記計算用数字カード及び／又は上記計算用記号カードとして代用される。また、上記カードゲームにおいて、上記計算用数字カード及び上記計算用記号カードに加えてこの特殊図柄カードの使用枚数が競われる。
上記特殊図柄カードは、例えば、矩形形状を有していることができる。また、この特殊図柄カードは、例えば、紙又はプラスチックからなることができる。また、この特殊図柄カードは、例えば、カード名称を表記した名称表記部を有することができる。また、この計算用数字カードは、例えば、１０〜３０枚用意されていることができる。また、この特殊図柄カードの平面サイズは、例えば、上記計算用数字カード及び上記計算用記号カードのそれぞれの平面サイズと同じであることができる。なお、上記特殊図柄としては、任意の図柄を適宜採用することができるが、興趣性といった観点から、擬人化された動物の図柄であることが好ましい。
【００１３】
上記「解答用数字予備カード」は、所定の数字を書き込むための書込部を有する限り、その形状、材質、枚数等は特に問わない。この解答用数字予備カードは、例えば、矩形形状を有していることができる。また、この解答用数字予備カードは、例えば、紙又はプラスチックからなることができる。また、この解答用数字予備カードは、例えば、カード名称を表記した名称表記部を有することができる。また、この解答用数字予備カードの平面サイズは、例えば、上記解答用数字カードの平面サイズと同じであることができる。
【００１４】
上記「スコアカード」は、遊技者の名称及びスコアを書き込むためのスコア書込部を有する限り、その形状、材質、枚数等は特に問わない。このスコアカードは、例えば、矩形形状を有していることができる。また、このスコアカードは、例えば、紙又はプラスチックからなることができる。また、このスコアカードは、例えば、カード名称を表記した名称表記部を有することができる。
【００１５】
ここで、上記カードゲーム具は、以下に述べるカードゲームに用いられる。このカードゲームは、遊技者によって、抜粋された上記解答用数字カードに表記された解答用数字が解答となるように、上記計算用数字カード及び上記計算用記号カードを組み合わせて、計算用数字カードに表記された計算用数値と計算用記号カードに表記された記号とから計算式を作成することが繰り返し行われ、その計算式の作成において使用した計算用数字カード及び計算用記号カードの枚数が競われるものである。
上記カードゲームでは、通常、上記計算用数字カードが、その表記部を表として複数積み上げられて山とされ、上記解答用数字カードが、その表記部を裏として複数積み上げられて山とされ、上記計算用記号カードが、複数の遊技者のそれぞれに所定枚数ずつ配られる。
上記カードゲームの遊技者については特に問わず、小学校低学年の児童から大人までに幅広く遊ぶことができる。また、遊技者の参加人数は特に問わないが、２〜５名程度であることが好ましい。
【実施例】
【００１６】
以下、図面に基づいて実施例により本考案を具体的に説明する。
（１）カードゲーム具の構成
本実施例に係る数字計算用カードゲーム具は、計算用数字カード１、特殊図柄カード２、計算用記号カード３、解答用数字カード４、解答用数字予備カード５及びスコアカード６を備えて構成されている（図８及び１４参照）。
【００１７】
上記計算用数字カード１は、図１に示すように、紙製であり、縦寸法約７５ｍｍで且つ横寸法約５０ｍｍの矩形形状を有している。この計算用数字カード１は、所定の計算用数字（本実施例では「１」〜「１０」）が表記された表記部１１を有している。この表記部１１は、中央表記部１１ａと、この中央表記部１１ａより小さな領域の２箇所の隅表記部１１ｂとからなされている。また、この計算用数字カード１は、カード名称（本実施例例では「数字カード」）を表記した上下２箇所の名称表記部１２を有している。
なお、本実施例では、上記計算用数字カード１は、「１」〜「１０」の数字が表記されたものが各１０枚ずつ用意され、また予備カードとして各２枚ずつ用意され、合計１２０枚用意されている。
【００１８】
上記特殊図柄カード２は、図２に示すように、紙製であり、縦寸法約７５ｍｍで且つ横寸法約５０ｍｍの矩形形状を有している。この特殊図柄カード２は、特殊図柄｛本実施例では「かすみちゃん（擬人化された動物図柄）」｝が表記された表記部２１を有している。この特殊図柄カード２は、カード名称（本実施例では「かすみちゃんカード」）を表記した名称表記部２２を有している。
なお、本実施例では、上記特殊図柄カード２は、３枚５組で１５枚用意され、また予備カードとして５枚用意され、合計２０枚用意されている。
【００１９】
上記計算用記号カード３は、図３に示すように、紙製であり、縦寸法約７５ｍｍで且つ横寸法約５０ｍｍの矩形形状を有している。この計算用記号カード３は、四則演算のうちの所定の演算を示す記号が表記された表記部３１を有している。この表記部３１は、中央表記部３１ａと、この中央表記部３１ａより小さな領域の２箇所の隅表記部３１ｂとからなされている。また、この計算用記号カード３は、カード名称（本実施例では「記号カード」）を表記した上下２箇所の名称表記部３２を有している。
なお、上記計算用記号カード３は、四則演算の各５枚５組で１００枚用意され、また予備カードとして各２枚ずつ用意され、合計１０８枚用意されている。
【００２０】
上記解答用数字カード４は、図４に示すように、紙製であり、縦寸法約１００ｍｍで且つ横寸法約７５ｍｍの矩形形状を有している。この解答用数字カード４は、所定の解答用数字（本実施例では「１」〜「１５」）が表記された表記部４１を有している。また、この解答用数字カード４は、カード名称（本実施例では「お答えカード」）を表記した名称表記部４２を有している。
なお、上記解答用数字カード４は、「１」〜「１５」の数字が表記されたものが１組用意され、合計１５枚用意されている。
【００２１】
ここで、上記計算用数字カード１及び上記計算用記号カード３のそれぞれの平面サイズは同じであり、且つ、上記解答用数字カード４の平面サイズが、計算用数字カード１及び計算用記号カード３の平面サイズの約２倍となっている。
【００２２】
上記解答用数字予備カード５は、図５に示すように、紙製であり、縦寸法約１００ｍｍで且つ横寸法約７５ｍｍの矩形形状を有している。この解答用数字カード５は、所定の数字（本実施例では「１」〜「１５」）を書き込むための書込部５１を有している。また、この解答用数字予備カード５は、例えば、カード名称（本実施例では「お答えカード」）を表記した名称表記部５２を有している。
なお、上記解答用数字予備カード５は、合計５枚用意されている。
【００２３】
上記スコアカード６は、図６に示すように、紙製であり、縦寸法約１５０ｍｍで且つ横寸法約１００ｍｍの矩形形状を有している。このスコアカード６は、遊技者の名称及びスコアを書き込むためのスコア書込部６１を有している。また、このスコアカード６は、カード名称（本実施例では「得点表」）を表記した名称表記部６２を有している。
なお、上記スコアカード６は、合計５枚用意されている。
【００２４】
（２）カードゲーム（初級編）
次に、上記構成のカードゲーム具を用いるカードゲーム（初級編）について説明する。
なお、本実施例では、３人の遊技者（プレイヤー）によってゲームが行われるものとする。また、図８に示すように、計算用数字カード１として、「１」〜「１０」の数字が表記されたものが各１０枚使用される。また、計算用記号カード３として、加算を示す記号「＋」が表記された加算用記号カード３ａが各５枚×３組、減算を示す記号「−」が表記された減算用記号カード３ｂが各５枚×３組が使用される。また、解答用数字カード４として、「１」〜「１５」の数字が表記されたものが１５枚使用される。さらに、特殊図柄カード２が、２枚×３組使用されるものとする。
【００２５】
ここで、上記特殊図柄カード２は、「１」〜「１０」の数字が表記された計算用数字カード１のうちのいずれのカードとして代用でき、また加算用記号カード３ａ又は減算用記号カード３ｂとして代用できる。ただし、遊技者の明確な代用宣言に基づいて代用できるものとする。具体的には、図７に示すように、特殊図柄カード２を、「８」と表記された計算用数字カード１として代用する場合、遊技者は「８」と明確に宣言してから特殊図柄カード２を使用する。また、特殊カード２を、「＋」と表記された加算用記号カード３ａとして代用する場合、遊技者は「＋」と明確に宣言してから特殊図柄カード２を使用する。
なお、本実施例では、特殊図柄カード２は、遊技者毎に２枚の手持ちカードとしているが、１つの計算式の中で２枚同時に使用することは禁止する。
【００２６】
先ず、準備作業として、図９に示すように、遊技者全員で、場の真ん中に解答用数字カード４と計算用数字カード１とを並べる。このとき、「１」〜「１０」と表記された計算用数字カード１の各１０枚は、解答用数字カード４の周囲に円で囲って配置される。また、計算用数字カード１は、その表記部１１を表として積み上げられて山とされる。一方、「１」〜「１５」と表記された解答用数字カード４は、シャッフルされその表記部４１を裏として積み上げられて山とされる。
そして、各遊技者には、手持ちカードとして、加算用記号カード３ａ及び減算用記号カード３ｂの各５枚と、特殊図柄カード２の２枚が配られる。
次に、プレイの１ゲームの時間は、目安として約５〜８分であるが、始めに何ゲーム挑戦するのかを決める。
次いで、スコアカード６に、遊技者の氏名を記入して、準備作業が終了される。
【００２７】
その後、ジャンケン等によりリーダーを決める。
次に、そのリーダーが、場の真ん中の解答用数字カード４の山より一番上にあるカードをひいて裏返し、その表記部４１を各遊技者に見せる。この表記部４１に表記された数字「７」が解答となる。
次いで、リーダーから順に時計回りで、計算用数字カード１の「１」〜「１０」の中から、その数字「７」に対して必要と思われるカードが数枚とられ、その数字「７」が解答となるように、その計算用数字カード１と手持ちの計算用記号カード３ａ、３ｂと、必要に応じて特殊図柄カード２とを組み合わせて計算式が組み立てられることとなる。
上記計算式の作成の都度、計算式の答え合せを遊技者全員で確認し、間違いがあった場合にはその場で修正が行われる。
【００２８】
ここで、上記計算式の具体例として、例えば、図１０及び１１に示すものが挙げられる。この計算式の中には、加算用記号カード３ａ及び減算用記号カード３ｂのうちの少なくとも一方が存在することが原則であるが、２種の記号カードを複数枚使っても良いものとする。
【００２９】
その後、プレイ中に、手持ちカードを使い切った遊技者が、先ずプレイからはずれ、残った遊技者は、そのままプレイを続ける。
そして、遊技者全員が手持ちカードを使い切った時、又は計算式を作成することができなくなった時点で、リーダーがゲームの終了を宣言する。
【００３０】
ゲーム終了の際、正解の計算式を作成するのに使用したカード枚数に基づいて勝敗が決められる。即ち、１ゲームで正確な計算式をたくさん作り上げるのに使った計算用数字カード１、計算用記号カード３ａ、３ｂ及び特殊図柄カード２の枚数が多い遊技者から１位、２位と順位が決められる。
そして、再度ゲームを行う場合には、遊技者全員で次のゲームに向けて、各カードを回収して、再度同じように並べ直される。即ち、計算用数字カード１が、場の真ん中の位置に戻され、計算用記号カード３ａ、３ｂの各５枚と特殊図柄カード２の２枚が、それぞれの遊技者の手元に戻される。また、今回使った解答用数字カード４（「７」）は除かれる。その後、上述と略同じ要領でゲームが再開されることとなる。
【００３１】
（３）カードゲーム（初級応用編）
次に、上記構成のカードゲーム具を用いるカードゲーム（初級応用編）について説明する。
なお、このカードゲーム（初級応用編）は、上記カードゲーム（初級編）を応用したものであり、上記カードゲーム（初級編）との相違点を主体として以下に説明する。
先ず、最初のリーダーが、図１２に示すように、場の真ん中の解答用数字カード４の山より一番上にあるカードをひいて裏返し、その表記部４１を各遊技者に見せる。この表記部４１に表記された数字「７」が解答となる。
次いで、リーダーから順に時計回りで、計算用数字カード１の「１」〜「１０」の中から、その数字「７」に対して必要と思われるカードが数枚とられ、その数字「７」が解答となるように、その計算用数字カード１と手持ちの計算用記号カード３ａ、３ｂと、必要に応じて特殊図柄カード２とを組み合わせて計算式が組み立てられることとなる。
【００３２】
その後、プレイが一巡したら、時計回りで次の人がリーダーとなり、図１３に示すように、次のリーダーが、場の真ん中の解答用数字カード４の山より一番上にあるカードをひいて裏返し、その表記部４１を各遊技者に見せる。この表記部４１に表記された数字「１０」が解答となる。
次いで、リーダーから順に時計回りで、計算用数字カード１の「１」〜「１０」の中から、その数字「１０」に対して必要と思われるカードが数枚とられ、その数字「１０」が解答となるように、その計算用数字カード１と手持ちの計算用記号カード３ａ、３ｂと、必要に応じて特殊図柄カード２とを組み合わせて計算式が組み立てられ、２巡目のプレイが行われることとなる。
その後、必要に応じて３巡目以降のプレイが行われ、上記カードゲーム（初級編）と同様にして勝敗が決められる。
【００３３】
（４）カードゲーム（上級編）
次に、上記構成のカードゲーム具を用いるカードゲーム（上級編）について説明する。
なお、このカードゲーム（上級編）において、上記カードゲーム（初級編）と同じ内容部分については詳説を省略するものとする。また、本実施例では、３人の遊技者（プレイヤー）によってカードゲームを行うものとする。また、図１４に示すように、計算用数字カード１として、「１」〜「１０」の数字が表記されたものが各１０枚使用される。また、計算用記号カード３として、加算を示す記号「＋」が表記された加算用記号カード３ａが各３枚×３組、減算を示す記号「−」が表記された減算用記号カード３ｂが各３枚×３組、乗算を示す記号「×」が表記された乗算用記号カード３ｃが各３枚×３組、除算を示す記号「÷」が表記された除算用記号カード３ｄが各３枚×３組が使用される。また、解答用数字カード４として、「１」〜「１５」の数字が表記されたものが１５枚使用される。さらに、特殊図柄カード２が、３枚×３組使用されるものとする。
【００３４】
ここで、上記特殊図柄カード２は、「１」〜「１０」の数字が表記された計算用数字カード１のうちのいずれのカードとして代用でき、また加算用記号カード３ａ、減算用記号カード３ｂ、乗算用記号カード３ｃ又は除算用記号カード３ｄとして代用できる。ただし、遊技者の明確な代用宣言に基づいて代用できるものとする。
なお、本実施例では、特殊図柄カード２は、遊技者毎に３枚の手持ちカードとなるが、１つの計算式の中で２枚以上を同時に使用することは禁止する。
【００３５】
先ず、準備作業として、図１５に示すように、遊技者全員で、場の真ん中に解答用数字カード４と計算用数字カード１とを並べる。
そして、各遊技者には、手持ちカードとして、加算用記号カード３ａ、減算用記号カード３ｂ、乗算用記号カード３ｃ及び除算用記号カード３ｄの各３枚と、特殊図柄カード２の３枚とが配られる。
次いで、スコアカード６に、遊技者の氏名を記入して、準備作業が終了される。
【００３６】
先ず、ジャンケン等によりリーダーを決める。
次に、そのリーダーが、場の真ん中の解答用数字カード４の山より一番上にあるカードをひいて裏返し、その表記部４１を各遊技者に見せる。この表記部４１に表記された数字「１０」が解答となる。
次いで、リーダーから順に時計回りで、計算用数字カード１の「１」〜「１０」の中から、その数字「１０」に対して必要と思われるカードが数枚とられ、その数字「１０」が解答となるように、その計算用数字カード１と手持ちの計算用記号カード３ａ〜３ｄと、必要に応じて特殊図柄カード２とを組み合わせて計算式が組み立てられることとなる（図１６参照）。
上記計算式の作成の都度、計算式の答え合せを遊技者全員で確認し、間違いがあった場合にはその場で修正が行われる。
【００３７】
ここで、上記計算式の中には、加算用記号カード３ａ、減算用記号カード３ｂ、乗算用記号カード３ｃ及び除算用記号カード３ｄのうちの少なくとも１種が存在することが原則であるが、２種以上の記号カード３ａ〜３ｄを複数枚使っても良いものとする。
【００３８】
その後、プレイ中に、手持ちカードを使い切った遊技者が、先ずプレイからはずれ、残った遊技者は、そのままプレイを続ける。
そして、遊技者全員が手持ちカードを使い切った時、又は計算式を作成することができなくなった時点で、リーダーがゲームの終了を宣言することとなる。
【００３９】
ゲーム終了の際、正解の計算式を作成するのに使用したカード枚数に基づいて勝敗が決められる。即ち、１ゲームで正確な計算式をたくさん作り上げるのに使った計算用数字カード１、計算用記号カード３ａ〜３ｄ及び特殊図柄カード２の枚数が多い遊技者から１位、２位と順位が決められる。
そして、再度ゲームを行う場合には、遊技者全員で次のゲームに向けて、各種カードを回収して、再度同じように並べ直される。即ち、計算用数字カード１が、場の真ん中の位置に戻され、計算用記号カード３ａ〜３ｄの各３枚と特殊図柄カード２の３枚が、それぞれの遊技者の手元に戻される。また、今回使った解答用数字カード４（「１０」）は除かれる。その後、上述と略同じ要領でカードゲームが再開されることとなる。
【００４０】
（５）カードゲーム（上級応用編）
次に、上記構成のカードゲーム具を用いるカードゲーム（上級応用編）について説明する。なお、このカードゲーム（上級応用編）は、上記カードゲーム（上級編）を応用したものであり、上記カードゲーム（上級編）との相違点を主体として以下に説明する。
先ず、最初のリーダーが、図１７に示すように、場の真ん中の解答用数字カード４の山より一番上にあるカードをひいて裏返し、その表記部４１を各遊技者に見せる。この表記部４１に表記された数字「１０」が解答となる。
次いで、リーダーから順に時計回りで、計算用数字カード１の「１」〜「１０」の中から、その数字「１０」に対して必要と思われるカードが数枚とられ、その数字「１０」が解答となるように、その計算用数字カード１と手持ちの計算用記号カード３ａ〜３ｄと、必要に応じて特殊図柄カード２とを組み合わせて計算式が組み立てられることとなる。
【００４１】
その後、プレイが一巡したら、時計回りで次の人がリーダーとなり、図１８に示すように、次のリーダーが、場の真ん中の解答用数字カード４の山より一番上にあるカードをひいて裏返し、その表記部４１を各遊技者に見せる。この表記部４１に表記された数字「１５」が解答となる。
次いで、リーダーから順に時計回りで、計算用数字カード１の「１」〜「１０」の中から、その数字（「１５」）に対して必要と思われるカードが数枚とられ、その数字（「１５」）が解答となるように、その計算用数字カード１と手持ちの計算用記号カード３ａ〜３ｄと、必要に応じて特殊図柄カード２とを組み合わせて計算式が組み立てられ、２巡目のプレイが行われることとなる。
その後、必要に応じて３巡目以降のプレイが行われ、上記カードゲーム（上級編）と同様にして勝敗が決められる。
【００４２】
（６）実施例の効果
本実施例では、所定の計算用数字（「１」〜「１０」）が表記された表記部１１を有する複数の計算用数字カード１と、四則演算のうちの所定の演算を示す記号（「＋」「−」「×」「÷」）が表記された表記部３１を有する複数の計算用記号カード３と、所定の解答用数字（「１」〜「１５」）が表記された表記部４１を有する複数の解答用数字カード４と、特殊図柄（「かすみちゃん」）が表記された表記部２１を有する複数の特殊図柄カード２と、を備えてカードゲーム具を構成したので、複数の遊技者によって、抜粋された解答用数字カード４に表記された解答用数字が解答となるように、計算用数字カード１及び計算用記号カード３、更に必要に応じて特殊図柄カード２を組み合わせてその計算用数字とその記号とから計算式を作成することが繰り返し行われ、その計算式の作成において使用した計算用数字カード１、計算用記号カード３、及び特殊図柄カード２の枚数を競うカードゲームが行われる。これにより、カードを使って児童等が計算を楽しみながら数字に触れて学ぶことができる。また、このカードゲームによると、児童だけでも楽しむことができるが、児童の親、兄弟、姉妹等がプレイヤーや進行役（又は審判役）で参加すれば、親子のコミュニケーションや家族団欒の場として有益に利用できる。
また、本実施例のカードゲーム（初級編又は初級応用編）では、計算用記号カード３として、加算用記号カード３ａ及び減算用記号カード３ｂを用いているので、低学年の児童を対象として、足し算及び引き算の学習を初歩から始めることができる。
また、本実施例のカードゲーム（上級編又は上級応用編）では、計算用記号カード３として、加算用記号カード３ａ、減算用記号カード３ｂ、乗算用記号カード３ｃ及び除算用記号カード３ｄを用いているので、高学年の児童を対象として、四則演算を学習することができる。
また、本実施例では、解答用数字予備カード５を備えてカードゲーム具を構成したので、解答用数字カード４を紛失、損傷等した際に、この予備カード５の書込部５１に数字を書き込んで使用することができる。
また、本実施例では、スコアカード６を備えてカードゲーム具を構成したので、カードゲームの勝敗を容易に認識できる。
また、本実施例では、解答用数字カード４の平面サイズを、計算用数字カード１、計算用記号カード３及び特殊図柄カード２の平面サイズの約２倍としたので、解答用数字カード４と他のカードとを用意に識別できると共に、解答用数字カード４の解答用数字を認識し易く、ゲームを円滑に進行することができる。また、カードの収納性等を向上させることができる。
また、本実施例では、計算用数字カード１、計算用記号カード３、特殊図柄カード２及び解答用数字カード４のそれぞれに名称表記部１２、３２、２２、４２を設けたので、各カードをより容易に識別することができる。
また、本実施例では、計算用数字カード１、計算用記号カード３、特殊図柄カード２及び解答用数字カード４を紙製としたので、より安価なカードゲーム具を提供できる。
【００４３】
尚、本考案においては、前記実施例に限られず、目的、用途に基づいて本考案の範囲内で種々変更した実施例とすることができる。即ち、上記実施例では、複数（３人）の遊技者でカードゲームを行うようにしたが、これに限定されず、例えば、１人でも楽しむことができる。
また、本実施例では、加算用数字カード３ａ及び減算用数字カード３ｂを用いるカードゲーム（初級編又は初級応用編）と、加算用記号カード３ａ、減算用記号カード３ｂ、乗算用記号カード３ｃ及び除算用記号カード３ｄを用いるカードゲーム（上級編及び上級応用編）とを例示したが、これに限定されず、四則演算のうちの１種又は２種以上の計算用記号カード３を用いてゲームを行うことができる。
【産業上の利用可能性】
【００４４】
計算を楽しみながら学習できる知育玩具として利用される。
【図面の簡単な説明】
【００４５】
【図１】本実施例に係る計算用数字カードの平面図である。
【図２】本実施例に係る特殊図柄カードの平面図である。
【図３】本実施例に係る計算用記号カードの平面図である。
【図４】本実施例に係る解答用数字カードの平面図である。
【図５】本実施例に係る解答用数字予備カードの平面図である。
【図６】本実施例に係るスコアカードの平面図である。
【図７】特殊図柄カードの使用方法を説明するための説明図である。
【図８】本実施例に係るカードゲーム（初級編又は初級応用編）で使用される各カードを説明するための説明図である。
【図９】カードゲーム（初級編）を説明するための説明図である。
【図１０】カードゲーム（初級編）を説明するための説明図である。
【図１１】カードゲーム（初級編）を説明するための説明図である。
【図１２】カードゲーム（初級応用編）を説明するための説明図である。
【図１３】カードゲーム（初級応用編）を説明するための説明図である。
【図１４】本実施例に係るカードゲーム（上級編又は上級応用編）で使用される各カードを説明するための説明図である。
【図１５】カードゲーム（上級編）を説明するための説明図である。
【図１６】カードゲーム（上級編）を説明するための説明図である。
【図１７】カードゲーム（上級応用編）を説明するための説明図である。
【図１８】カードゲーム（上級応用編）を説明するための説明図である。
【符号の説明】
【００４６】
１；計算用数字カード、１１；表記部、１２；名称表記部、２；特殊図柄カード、２１；表記部、２２；名称表記部、３；計算用記号カード、３１；表記部、３２；名称表記部、４；解答用数字カード、４１；表記部、４２；名称表記部、５；解答用数字予備カード、５１；書込部、６；スコアカード、６１；スコア書込部。
【図１】
0003108481.tif 000003
【図２】
0003108481.tif 000004
【図３】
0003108481.tif 000005
【図４】
0003108481.tif 000006
【図５】
0003108481.tif 000007
【図６】
0003108481.tif 000008
【図７】
0003108481.tif 000009
【図８】
0003108481.tif 000010
【図９】
0003108481.tif 000011
【図１０】
0003108481.tif 000012
【図１１】
0003108481.tif 000013
【図１２】
0003108481.tif 000014
【図１３】
0003108481.tif 000015
【図１４】
0003108481.tif 000016
【図１５】
0003108481.tif 000017
【図１６】
0003108481.tif 000018
【図１７】
0003108481.tif 000019
【図１８】
0003108481.tif 000020